(57)【要約】【課題】本発明は除湿装置に関するものであり、洗濯後の衣類の乾燥速度をさらなる向上を図ることを目的とするものである。【解決手段】送風手段のケーシング部１６には、ケーシング部１６内と本体ケース１外とを連通する連通孔１７を有し、この連通孔１７は、ケーシング部１６の吐出口１６ｂと羽根部９との間に設け、風向変更手段は、本体ケース１における一方側を回転中心とし、他方側が上下に回動可能である板形状のルーバ部１３で、ルーバ部１３の他方側が、送風口３と所定の距離より離れると、送風手段によって吸込口２から本体ケース１内に吸い込まれた空気は、除湿手段、ケーシング部１６の給気口１６ａ、ケーシング部１６の吐出口１６ｂを順次介し、送風口３へ送風されると共に、ケーシング部１６内を流れる空気によって、連通孔１７から本体ケース１外の空気がケーシング部１６内に誘引され、送風口３から送風される。【選択図】図１
2014144415.tif 000002
【特許請求の範囲】
【請求項１】
吸込口と送風口を有する本体ケースと、この本体ケース内に設けられた除湿手段および送風手段と、前記送風口に設けた移動可能な風向変更手段とを備え、前記送風手段は、吐出口と給気口とを有するスクロール形状のケーシング部と、このケーシング部に固定されたモータ部と、このモータ部によって回転する羽根部とからなり、前記ケーシング部内と前記本体ケース外とを連通する連通孔を有し、この連通孔は、前記ケーシング部の前記吐出口と前記羽根部との間に設け、前記風向変更手段は、前記本体ケースにおける一方側を回転中心とし、他方側が上下に回動可能である板形状のルーバ部で、前記ルーバ部の他方側が、前記送風口と所定の距離より離れると、前記送風手段によって前記吸込口から前記本体ケース内に吸い込まれた空気は、前記除湿手段、前記ケーシング部の給気口、前記ケーシング部の吐出口を順次介し、前記送風口へ送風されると共に、前記ケーシング部内を流れる空気によって、前記連通孔から前記本体ケース外の空気が前記ケーシング部内に誘引され、前記送風口から送風されることを特徴とする除湿装置。
【請求項２】
前記連通孔は、前記本体ケースにおける一方側側面に設け、前記ルーバ部の他方側が、前記送風口と所定の距離より近づくと、前記送風手段によって前記吸込口から前記本体ケース内に吸い込まれ前記除湿手段、前記ケーシング部の給気口、前記ケーシング部の吐出口を順次介し、前記送風口へ送風されると共に、前記ケーシング部内を流れる空気の一部が、前記ケーシング部内から前記連通孔を介して前記本体ケース外へ送風されることを特徴とする請求項１に記載の除湿装置。
【請求項３】
前記連通孔と前記ケーシング部の前記送風口との距離は、前記連通孔と前記ケーシング部の前記羽根部との距離より短いことを特徴とする請求項１または２に記載の除湿装置。
【請求項４】
前記吸込口は、前記本体ケースにおける一方側側面で前記連通孔の下方に設けたことを特徴とする請求項２または３に記載の除湿装置。
【請求項５】
前記連通孔は、前記ケーシング部から前記本体ケースにおける一方側へ水平に伸びた筒形状であることを特徴とする請求項２から４のいずれかに記載の除湿装置。
【発明の詳細な説明】
【技術分野】
【０００１】
本発明は、例えば衣類乾燥用として用いられる除湿装置に関するものである。
【背景技術】
【０００２】
従来、この種の除湿装置は、上部に送風口を有する本体ケースと、この本体ケース内に設けられた除湿手段および送風手段と、前記送風口に設けた風向変更手段とを備えたものであった。本体ケース内に除湿手段を設けた除湿装置は、除湿能力が高いことから、衣類の乾燥用として積極的に活用されている。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。（なお、これに関連する先行文献としては下記特許文献１がある）。
【先行技術文献】
【特許文献】
【０００４】
【特許文献１】特開２００６−１０２５７８号公報
【発明の概要】
【発明が解決しようとする課題】
【０００５】
上記従来例における課題は、洗濯後の衣類の乾燥速度をさらに向上するということであった。
【０００６】
すなわち、従来の物においては、室内の空気を送風手段によって本体ケース内に吸い込み、本体ケース内に設けられた除湿手段によって、室内の空気を除湿し、この除湿空気を、送風手段によって洗濯後の衣類に向けて送風するものである。ここで、洗濯後の衣類を乾燥させる場合には、送風空気の乾燥度、および送風される送風量によって乾燥速度が決まるものである。特に、衣類に向けて送風される送風量は、送風手段の送風能力を向上させることが考えられるが、送風手段の送風能力を向上させると、羽根サイズが大きくなり、結果として本体サイズも大きくなるので、送風手段の送風能力を向上させることは、本体サイズの観点から限界があった。
【０００７】
その結果として、衣類に送風される送風量を上げることができず、結論として洗濯後の衣類の乾燥速度をさらに高くすることができないものであった。
【０００８】
そこで本発明は、洗濯後の衣類の乾燥速度のさらなる向上を図ることを目的とするものである。
【課題を解決するための手段】
【０００９】
そして、この目的を達成するために、本発明は、吸込口と送風口を有する本体ケースと、この本体ケース内に設けられた除湿手段および送風手段と、前記送風口に設けた移動可能な風向変更手段とを備え、前記送風手段は、吐出口と給気口とを有するスクロール形状のケーシング部と、このケーシング部に固定されたモータ部と、このモータ部によって回転する羽根部とからなり、前記ケーシング部内と前記本体ケース外とを連通する連通孔を有し、この連通孔は、前記ケーシング部の前記吐出口と前記羽根部との間に設け、前記風向変更手段は、前記本体ケースにおける一方側を回転中心とし、他方側が上下に回動可能である板形状のルーバ部で、前記ルーバ部の他方側が、前記送風口と所定の距離より離れると、前記送風手段によって前記吸込口から前記本体ケース内に吸い込まれた空気は、前記除湿手段、前記ケーシング部の給気口、前記ケーシング部の吐出口を順次介し、前記送風口へ送風されると共に、前記ケーシング部内を流れる空気によって、前記連通孔から前記本体ケース外の空気が前記ケーシング部内に誘引され、前記送風口から送風されることを特徴としたものであり、これにより所期の目的を達成するものである。
【発明の効果】
【００１０】
本発明によれば、吸込口と送風口を有する本体ケースと、この本体ケース内に設けられた除湿手段および送風手段と、前記送風口に設けた移動可能な風向変更手段とを備え、前記送風手段は、吐出口と給気口とを有するスクロール形状のケーシング部と、このケーシング部に固定されたモータ部と、このモータ部によって回転する羽根部とからなり、前記ケーシング部内と前記本体ケース外とを連通する連通孔を有し、この連通孔は、前記ケーシング部の前記吐出口と前記羽根部との間に設け、前記風向変更手段は、前記本体ケースにおける一方側を回転中心とし、他方側が上下に回動可能である板形状のルーバ部で、前記ルーバ部の他方側が、前記送風口と所定の距離より離れると、前記送風手段によって前記吸込口から前記本体ケース内に吸い込まれた空気は、前記除湿手段、前記ケーシング部の給気口、前記ケーシング部の吐出口を順次介し、前記送風口へ送風されると共に、前記ケーシング部内を流れる空気によって、前記連通孔から前記本体ケース外の空気が前記ケーシング部内に誘引され、前記送風口から送風されることを特徴としたものであり、洗濯後の衣類の乾燥速度をさらに向上を図ることできるものである。
【００１１】
すなわち、風向変更手段は、本体ケースにおける一方側を回転中心とし、他方側が上下に回動可能である板形状のルーバ部で、ルーバ部の他方側が、送風口と所定の距離より離れると、送風手段によって吸込口から本体ケース内に吸い込まれた空気は、除湿手段、ケーシング部の給気口、ケーシング部の吐出口を順次介し、送風口へ送風されると共に、ケーシング部内を流れる空気によって、連通孔から本体ケース外の空気がケーシング部内に誘引され、送風口から送風される。結果として、衣類には、送風手段によって、本体ケースの上部送風口から送風される除湿空気と、この空気によって誘引される空気とが送風される。
【００１２】
これにより、衣類に送風される送風量を上げることができ、結論として洗濯後の衣類の乾燥速度をさらに高くすることができる。
【図面の簡単な説明】
【００１３】
【図１】本発明の実施の形態の除湿装置の概略断面図
【図２】同除湿装置の風向変更手段の斜視図
【図３】同除湿装置の除湿装置の斜視図
【図４】同除湿装置の送風手段の斜視断面図
【図５】同除湿装置の除湿装置の概略断面図
【発明を実施するための形態】
【００１４】
以下本発明の一実施形態を添付図面を用いて説明する。
【００１５】
図１から図４に示すように、１は縦長箱状の本体ケースで、この本体ケース１の背面側には吸込口２、上面の背面側には送風口３が設けられている。この送風口３には、送風口３から所定の距離を有して、移動可能な風向変更手段１２を備えている。本体ケース内には、除湿手段と送風手段とを備えている。
【００１６】
風向変更手段１２であるルーバ部１３は、横長四角形の板形状で、送風口３から所定の距離を有し、送風口３の上方に対向して設けられている。横長四角形のルーバ部１３は、本体ケース１における前面側、および背面側が長辺となり、本体ケースにおける右側、および左側が短辺となる。ルーバ部１３は、一方側、つまり本体ケースにおける前面側を回転中心とし、他方側、つまり本体ケース１における背面側が上下に回動する。
【００１７】
具体的には、ルーバ部１３は、ルーバ部１３の下面の両短辺付近から伸びた２つのルーバ支持部１３ａを有する。このルーバ支持部１３ａの本体ケース１における前面側には、外方へ伸びた２本の円柱形状のルーバ軸部１３ｂを備えている。このルーバ軸部１３ｂを回転自在に装着できる孔である軸受部１４が、送風口３に設けられている。本体ケース１内に設けた回転手段であるルーバ用モータ１５によって、ルーバ軸部１３ｂを介してルーバ部１３が、上下に往復回動できるものである。
【００１８】
ルーバ部１３は、最も開く状態、つまりルーバ部１３の他方側が、送風口３と最も離れる状態は、ルーバ軸部１３ｂを含む水平面に対して、仰角方向へ９０度まで開く。ルーバ部１３が、最も閉じる状態は、つまりルーバ部１３の他方側が、送風口３と最も近づく状態は、ルーバ軸部１３ｂを含む水平面に対して、伏角方向へ１０度まで閉じる。ここで、ルーバ部１３は、横長四角形の板形状で、送風口３から所定の距離を有しているので、ルーバ部１３が、最も閉じた状態でも、送風口３を閉じることなく、他方側、つまり本体ケースにおける背面側下方へ、送風手段によって送風口３から上方へ送風される空気の風向を変えることが出来る。
【００１９】
送風手段は、ケーシング部１６とモータ部８と羽根部９とから構成している。ケーシング部１６は、スクロール形状で２つの給気口１６ａと１つの吐出口１６ｂとを有する。このケーシング部１６にモータ部８が固定されている。このモータ部８によって羽根部９が回転する。この羽根部９の回転により、ケーシング部１６の給気口１６ａから吸い込まれた空気が、ケーシング部１６の吐出口１６ｂより吹き出すものである。
【００２０】
除湿手段の１例は、圧縮機４と、凝縮器５、蒸発器６を備えた冷凍サイクルと、除湿ロータ７からなるものである。
【００２１】
すなわち、上記先行文献にも類似する構成が記載されているので、ここでは説明を簡略化するが、本実施形態の除湿動作は以下のようになっている。先ずモータ部８により羽根部９を駆動すると、吸込口２から室内空気が本体ケース１内に吸入され、この空気の大部分は凝縮器５で加熱され、相対湿度が低くなった状態で、送風口３から室内に送風されるようになっている。
【００２２】
また、送風手段である羽根部９により本体ケース１内に吸入された空気の一部は、加熱され、相対湿度が低くなった状態で除湿ロータ７の放出部を通過し、この時この放出部からの放出湿度を伴って次に蒸発器６へと誘導され、この蒸発器６で冷却され、ここで湿気を結露させる。この結露水はドレインパン１０を介してタンク１１中に溜められる。
【００２３】
また、蒸発器６で結露しなかった湿気は除湿ロータ７の吸湿部で吸湿され、この吸湿部は除湿ロータ７の回転によりその後上記放出部となり、これにより捕らえた湿気を加熱空気に再放出させ、次に蒸発器６で冷却し、湿気を結露させて除去する。
【００２４】
そしてこのような除湿動作により、乾燥した空気が生成され、この乾燥空気が上述の送風口３から本体ケース１後方の室内に送風されるようになっている。
【００２５】
したがって、この送風部分に洗濯物を干しておれば、乾燥が効率的に進むものとなるのである。
【００２６】
本実施形態における特徴点は、ケーシング部１６内と本体ケース１外とを連通する連通孔１７を有し、この連通孔１７は、ケーシング部１６の吐出口１６ｂと羽根部９との間に設けた点である。
【００２７】
すなわち、ルーバ部１３の他方側が、送風口３と所定の距離より離れると、送風手段によって吸込口２から本体ケース１内に吸い込まれた空気は、除湿手段、ケーシング部１６の給気口１６ａ、ケーシング部の吐出口１６ｂを順次介し、送風口３へ送風されると共に、ケーシング部１６内を流れる空気によって、連通孔１７から本体ケース１外の空気がケーシング部１６内に誘引され、送風口３から送風される。結果として、衣類には、送風手段によって、本体ケース１の上部送風口から送風される除湿空気と、この空気によって誘引される空気とが送風される。
【００２８】
これにより、衣類に送風される送風量を上げることができ、結論として洗濯後の衣類の乾燥速度をさらに高くすることができる。
【００２９】
また、図５に示すように、連通孔１７は、本体ケース１における他方側側面に備えている。ルーバ部１３の他方側が、送風口３と所定の距離より近づくと、送風手段によって吸込口２から本体ケース１内に吸い込まれた空気は、除湿手段、ケーシング部１６の給気口１６ａ、ケーシング部１６の吐出口１６ｂを順次介し、送風口３へ送風される。ここで、ケーシング部１６内を流れる空気の一部が、ケーシング部１６内から連通孔を介して本体ケース１外へ送風される。これにより、送風口３と連通孔１７とから送風されるので、衣類に送風される送風量を上げることができ、結論として洗濯後の衣類の乾燥速度をさらに高くすることができる。
【００３０】
また、連通孔１７とケーシング部１６の送風口３との距離は、連通孔１７とケーシング部１６の羽根部９との距離より短いことを特徴とする。これにより、ルーバ部１３の他方側が、送風口３と所定の距離より近づくと、送風手段によって吸込口２から本体ケース１内に吸い込まれた空気は、除湿手段、ケーシング部１６の給気口１６ａ、ケーシング部１６の吐出口１６ｂを順次介し、送風口３へ送風される。ここで、連通孔１７と送風口３との距離は、連通孔１７とケーシング部１６の羽根部９との距離より短いので、ケーシング部１６内を流れる空気の一部が、ケーシング部１６内から連通孔１７を介して本体ケース１外へ送風され易くなると考えられる。
【００３１】
また、吸込口２は、本体ケース１における他方側側面で連通孔１７の下方に設けることを特徴とする。具体的には、吸込口２は、本体ケース１における他方側側面に設けた四角形状の開口である。この吸込口２の上方に、四角形状の開口である連通孔１７を備えている。この連通孔１７の上方である本体ケース１の上面には送風口３が設けられている。
【００３２】
すなわち、ルーバ部１３の他方側が、送風口３と所定の距離より近づくと、送風手段によって送風口３から上方へ送風される空気は、ルーバ部１３によって風向が本体ケース１における他方側へ変化し、一部の空気は、水平方向より下方向へ送風される。一方、ルーバ部１３の他方側が、送風口と所定の距離より近づくと、ケーシング部１６内を流れる空気の一部が、ケーシング部１６内から連通孔１７を介して本体ケース１における一方側である本体ケース１外へ送風される。この空気は、本体ケース１における一方側側面で連通孔１７から吹き出すので、ほぼ水平方向へ吹き出される。
【００３３】
これにより、ルーバ部１３によって水平方向より下方向へ送風される空気は、連通孔１７からほぼ水平方向へ吹き出す空気によって、水平方向より下方向へ行き難くなる。結果として、ルーバ部１３によって水平方向より下方向へ送風される空気が、吸込口２へ吸い込まれるショートサキットを抑制できる。また、連通孔１７と吸込口２との距離は、連通孔１７と送風口３との距離より長いので、ルーバ部１３によって水平方向より下方向へ送風される空気は、連通孔１７からほぼ水平方向へ吹き出す空気によって、水平方向より下方向へより行き難くなる。
【００３４】
また、連通孔１７は、ケーシング部１６から本体ケース１における他方側へ水平に伸びた筒形状であることを特徴とする。具体的には、横長四角筒形状であり、連通孔１７の長辺とルーバ部１３の他方側端部とは平行であるものである。
【００３５】
これにより、ルーバ部１３の他方側が、送風口３と所定の距離より近づくと、ケーシング部１６内を流れる空気の一部が、ケーシング部１６内から連通孔１７を介して本体ケース１における他方側である本体ケース１外へ送風される空気は、連通孔１７からより水平方向へ吹き出すことができる。
【産業上の利用可能性】
【００３６】
本発明は、吸込口と送風口を有する本体ケースと、この本体ケース内に設けられた除湿手段および送風手段と、前記送風口に設けた移動可能な風向変更手段とを備え、前記送風手段は、吐出口と給気口とを有するスクロール形状のケーシング部と、このケーシング部に固定されたモータ部と、このモータ部によって回転する羽根部とからなり、前記ケーシング部内と前記本体ケース外とを連通する連通孔を有し、この連通孔は、前記ケーシング部の前記吐出口と前記羽根部との間に設け、前記風向変更手段は、前記本体ケースにおける一方側を回転中心とし、他方側が上下に回動可能である板形状のルーバ部で、前記ルーバ部の他方側が、前記送風口と所定の距離より離れると、前記送風手段によって前記吸込口から前記本体ケース内に吸い込まれた空気は、前記除湿手段、前記ケーシング部の給気口、前記ケーシング部の吐出口を順次介し、前記送風口へ送風されると共に、前記ケーシング部内を流れる空気によって、前記連通孔から前記本体ケース外の空気が前記ケーシング部内に誘引され、前記送風口から送風されることを特徴としたものであり、洗濯後の衣類の乾燥速度をさらに向上を図ることできるものである。
【００３７】
すなわち、風向変更手段は、本体ケースにおける一方側を回転中心とし、他方側が上下に回動可能である板形状のルーバ部で、ルーバ部の他方側が、送風口と所定の距離より離れると、送風手段によって吸込口から本体ケース内に吸い込まれた空気は、除湿手段、ケーシング部の給気口、ケーシング部の吐出口を順次介し、送風口へ送風されると共に、ケーシング部内を流れる空気によって、連通孔から本体ケース外の空気がケーシング部内に誘引され、送風口から送風される。結果として、衣類には、送風手段によって、本体ケースの上部送風口から送風される除湿空気と、この空気によって誘引される空気とが送風される。
【００３８】
これにより、衣類に送風される送風量を上げることができ、結論として洗濯後の衣類の乾燥速度をさらに高くすることができる。
【００３９】
したがって、各種除湿装置などに広く活用されるものとなる。
【符号の説明】
【００４０】
１    本体ケース
２    吸込口
３    送風口
４    圧縮機
５    凝縮器
６    蒸発器
７    除湿ロータ
８    モータ部
９    羽根部
１０    ドレインパン
１１    タンク
１２    風向変更手段
１３    ルーバ部
１３ａ  ルーバ支持部
１３ｂ  ルーバ軸部
１４    軸受部
１５    ルーバ用モータ
１６    ケーシング部
１６ａ  給気口
１６ｂ  吐出口
１７    連通孔
【図１】
2014144415.tif 000003
【図２】
2014144415.tif 000004
【図３】
2014144415.tif 000005
【図４】
2014144415.tif 000006
【図５】
2014144415.tif 000007